(57)【要約】【課題】雷サージ保護回路の異常を検知し焼損事故を未然に防ぐことができる基地局装置を提供する。【解決手段】保護回路１２に内蔵されている雷サージ保護回路の試験を中央制御部１４からの指示により実行する。保護回路１２においては電源ユニット１１から雷サージ保護回路２１を切離し保護電圧以上の電圧と保護電圧以下の電圧とを与えることにより雷サージ保護回路２１の異常を検知する。基地局装置は、通信回線に接続されているので、異常が発生したときには通信回線を経由して管理者に異常を知らせる。これにより速やかに雷サージ保護回路を交換することができる。【選択図】        図２
2004297849.tif 000002
【特許請求の範囲】
【請求項１】
内部電源電圧を受けて動作する内部回路と、
商用電源を受けて前記内部電源電圧を発生する電源ユニットと、
外部から前記電源ユニットに向かう前記商用電源の入力経路に接続される保護回路とを備え、
前記保護回路は、
前記入力経路に侵入するサージを吸収するサージ保護回路と、
前記サージ保護回路の試験を行なうための試験回路と、
試験モードにおいて前記サージ保護回路を前記入力経路から切り離し前記試験回路に接続する第１のスイッチ回路とを含む、基地局装置。
【請求項２】
前記基地局装置は、
通信回線に接続される回線制御部をさらに備え、
前記保護回路は、
前記第１のスイッチ回路の切換えを制御し、かつ、前記試験回路に試験開始指示を与える試験回路制御部をさらに含み、
前記基地局装置は、
前記試験回路から試験結果を受取り、試験結果が異常である場合には前記回線制御部および前記通信回線を用いて異常発生を管理者に通知する中央制御部をさらに備える、請求項１に記載の基地局装置。
【請求項３】
前記試験回路は、
前記サージ保護回路の保護電圧以下の第１の所定の電圧を発生する第１の電源と、
前記サージ保護回路の保護電圧を超える第２の所定の電圧を発生する第２の電源と、
前記第１、第２の電源の出力を切換えて前記サージ保護回路に与えるための第２のスイッチ回路とを含む、請求項１に記載の基地局装置。
【請求項４】
前記サージ保護回路は、
前記商用電源が送電される第１、第２の電源線にそれぞれ接続される第１、第２の接続ノードと、
接地電位に結合される第３の接続ノードとを有し、
前記試験回路は、
試験電圧を発生する電源と、
前記試験電圧を前記第１の接続ノードと第２の接続ノードとの間に加える第１の試験と、前記試験電圧を前記第１および第２の接続ノードと接地ノードとの間に加える第２の試験とを行なうために、前記第２の接続ノードの接続の切換えを行なう第３のスイッチ回路とを含む、請求項１に記載の基地局装置。
【請求項５】
内部電源電圧を受けて動作する内部回路と、商用電源を受けて前記内部電源電圧を発生する電源ユニットと、外部から前記電源ユニットに向かう前記商用電源の入力経路に接続される保護回路とを含む基地局装置の試験方法であって、
前記保護回路は、
前記入力経路に侵入するサージを吸収するサージ保護回路と、
前記サージ保護回路の試験を行なうための試験回路と、
前記サージ保護回路を前記入力経路と前記試験回路のいずれか一方に接続する第１のスイッチ回路とを含み、
前記試験方法は、
前記第１のスイッチ回路を切換えて、前記サージ保護回路を前記入力経路から切り離し前記試験回路に接続するステップと、
前記試験回路によって前記サージ保護回路に試験電圧を与えるステップとを備える、基地局装置の試験方法。
【請求項６】
前記基地局装置は、通信回線に接続される回線制御部をさらに含み、
前記基地局装置の試験方法は、
前記試験回路から試験結果を受取り、試験結果が異常である場合には前記回線制御部および前記通信回線を経由して異常発生を管理者に通知するステップをさらに備える、請求項５に記載の基地局装置の試験方法。
【請求項７】
前記試験回路によって、前記サージ保護回路の保護電圧以下の第１の所定の電圧を前記試験電圧として前記サージ保護回路に加えるステップと、
前記試験回路によって、前記サージ保護回路の保護電圧を超える第２の所定の電圧を前記試験電圧として前記サージ保護回路に加えるステップとをさらに備える、請求項５に記載の基地局装置の試験方法。
【請求項８】
前記サージ保護回路は、前記商用電源が送電される第１、第２の電源線にそれぞれ接続される第１、第２の接続ノードと、接地電位に結合される第３の接続ノードとを有し、
前記基地局装置の試験方法は、
前記試験電圧を前記第１の接続ノードと第２の接続ノードとの間に加えるステップと、
前記試験電圧を前記第１および第２の接続ノードと接地ノードとの間に加えるステップとをさらに備える、請求項５に記載の基地局装置の試験方法。
【請求項９】
請求項５〜請求項８のいずれかに記載の基地局装置の試験方法をコンピュータに実行させるための試験プログラム。
【発明の詳細な説明】
【０００１】
【発明の属する技術分野】
この発明は、屋外に設置される基地局装置、基地局装置の試験方法および試験プログラムに関する。
【０００２】
【従来の技術】
基地局装置をはじめとする屋外に設置する機器は、雷によるサージ電圧の侵入が多いので、一般的の機器以上に雷サージに留意しなければならない。
【０００３】
雷サージ保護は、バリスタなどの電圧制限素子を使用して、過大な雷サージ電圧を制限して機器を雷サージから保護することが一般に行なわれる。バリスタをはじめとするこのような保護素子は、サージを吸収（制限）することで、徐々に漏れ電流の増加など電気的特性が劣化する。たとえばバリスタの故障例をとると、漏れ電流の増加が進展して、短絡故障となるケースがほとんどである。このような保護素子の漏れ電流の増加は、ブレーカ等の外付け保護回路では検出することができない。また、このような漏れ電流の増加は、放置することにより保護素子の焼損事故につながりやすい。
【０００４】
たとえば、電力系統では、系統の安全性を確保する目的から避雷器が用いられている。かかる避雷器では、通常の電圧では電気絶縁特性を示し、一定以上の電圧に対しては電気伝導特性を示すバリスタ素子を用いることで系統を異常電圧から保護している。
【０００５】
たとえば、特許文献１（特開２００２−３４０９７１号公報）には、避雷器の定期的な保守点検作業を行なう顧客が正確なデータ測定が困難であり、誤診断等によりメーカー技術者が不必要に呼出されることが多いという問題を解決するために、避雷器を管理する顧客が記録媒体を定期的に抜き出して自己の端末からメーカーの端末にデータを送信する技術が開示されている。
【０００６】
【特許文献１】
特開２００２−３４０９７１号公報
【０００７】
【発明が解決しようとする課題】
保護素子は雷サージを吸収するごとに徐々に漏れ電流が増加するので、この漏れ電流の増加を放置すると保護素子が焼損してしまうという問題点がある。またたとえばＰＨＳ（Ｐｅｒｓｏｎａｌ  Ｈａｎｄｙｐｈｏｎｅ  Ｓｙｓｔｅｍ）の基地局装置は、多数設置されており、人間が定期的に頻繁に漏れ電流のデータを測定しに行くことは困難である。特許文献１に示されるように、記録媒体に自動的に記録されている場合でも、それを定期的に回収しに行くことは困難である。
【０００８】
また、保護素子の故障モードには、短絡故障とオープン故障があり、漏れ電流を測定するだけでは、短絡故障は検出できるがオープン故障は検出できないという問題点がある。
【０００９】
この発明の目的は、サージ保護回路に異常が発生した場合に、速やかにそれを知ることができる基地局装置、基地局装置の試験方法および試験プログラムを提供することである。
【００１０】
【課題を解決するための手段】
この発明は要約すると、基地局装置であって、内部電源電圧を受けて動作する内部回路と、商用電源を受けて内部電源電圧を発生する電源ユニット（１１）と、外部から電源ユニットに向かう商用電源の入力経路に接続される保護回路（１２）とを備える。保護回路は、入力経路に侵入するサージを吸収するサージ保護回路（２１）と、サージ保護回路の試験を行なうための試験回路（２３）と、試験モードにおいてサージ保護回路を入力経路から切り離し試験回路に接続する第１のスイッチ回路（スイッチ回路２２）とを含む。
【００１１】
好ましくは、基地局装置は、通信回線に接続される回線制御部（１３）をさらに備え、保護回路（１２）は、第１のスイッチ回路（２２）の切換えを制御し、かつ、試験回路に試験開始指示を与える試験回路制御部（２４）をさらに含み、基地局装置は、試験回路から試験結果を受取り、試験結果が異常である場合には回線制御部および通信回線を用いて異常発生を管理者に通知する中央制御部（１４）をさらに備える。
【００１２】
好ましくは、試験回路（２３）は、サージ保護回路の保護電圧以下の第１の所定の電圧を発生する第１の電源（Ｅ１）と、サージ保護回路の保護電圧を超える第２の所定の電圧を発生する第２の電源（Ｅ２）と、第１、第２の電源の出力を切換えてサージ保護回路に与えるための第２のスイッチ回路（ＳＷ１）とを含む。
【００１３】
好ましくは、サージ保護回路（２１）は、商用電源が送電される第１、第２の電源線にそれぞれ接続される第１、第２の接続ノード（ＬＢ，ＮＢ）と、接地電位に結合される第３の接続ノードとを有し、試験回路（２３）は、試験電圧を発生する電源（Ｅ１，Ｅ２）と、試験電圧を第１の接続ノードと第２の接続ノードとの間に加える第１の試験と、試験電圧を第１および第２の接続ノードと接地ノードとの間に加える第２の試験とを行なうために、第２の接続ノードの接続の切換えを行なう第３のスイッチ回路（ＳＷ２）とを含む。
【００１４】
この発明の他の局面に従うと、内部電源電圧を受けて動作する内部回路と、商用電源を受けて内部電源電圧を発生する電源ユニット（１１）と、外部から電源ユニットに向かう商用電源の入力経路に接続される保護回路（１２）とを含む基地局装置の試験方法であって、保護回路は、入力経路に侵入するサージを吸収するサージ保護回路（２１）と、サージ保護回路の試験を行なうための試験回路（２３）と、サージ保護回路を入力経路と試験回路のいずれか一方に接続する第１のスイッチ回路（２２）とを含み、試験方法は、第１のスイッチ回路を切換えて、サージ保護回路を入力経路から切り離し試験回路に接続するステップと、試験回路によってサージ保護回路に試験電圧を与えるステップとを備える。
【００１５】
好ましくは、基地局装置は、通信回線に接続される回線制御部（１３）をさらに含み、基地局装置の試験方法は、試験回路から試験結果を受取り、試験結果が異常である場合には回線制御部および通信回線を経由して異常発生を管理者に通知するステップをさらに備える。
【００１６】
好ましくは、試験回路によって、サージ保護回路の保護電圧以下の第１の所定の電圧を試験電圧としてサージ保護回路に加えるステップと、試験回路によって、サージ保護回路の保護電圧を超える第２の所定の電圧を試験電圧としてサージ保護回路に加えるステップとをさらに備える。
【００１７】
好ましくは、サージ保護回路は、商用電源が送電される第１、第２の電源線にそれぞれ接続される第１、第２の接続ノードと、接地電位に結合される第３の接続ノードとを有し、基地局装置の試験方法は、試験電圧を第１の接続ノードと第２の接続ノードとの間に加えるステップと、試験電圧を第１および第２の接続ノードと接地ノードとの間に加えるステップとをさらに備える。
【００１８】
この発明のさらに他の局面に従うと、試験プログラムであって、上記いずれかの基地局装置の試験方法をコンピュータに実行させる。
【００１９】
したがって、この発明の主たる利点は、商用電源の影響を受けずに試験回路による条件設定が可能であり、サージ保護回路に対して正確な故障診断を行なうことができることである。
【００２０】
この発明の他の利点は、管理者が基地局装置の設置場所に点検に行かないでも劣化および故障が発生したことを知ることができ、必要な場合にサージ保護回路を交換しに行くことができることである。
【００２１】
この発明のさらに他の利点は、サージ保護回路の漏れ電流と保護電圧とが確認でき、短絡故障とオープン故障を検出することができることである。
【００２２】
この発明のさらに他の利点は、２つの電源線の間の漏れ電流と電源線と接地ノードとの間の漏れ電流を検出することができることである。
【００２３】
【発明の実施の形態】
以下において、本発明の実施の形態について図面を参照して詳しく説明する。なお、図中同一符号は同一または相当部分を示す。
【００２４】
図１は、本発明の基地局装置の構成を説明するためのブロック図である。
図１を参照して、基地局装置１は、電源ユニット１１と、保護回路１２と、回線制御部１３と、中央制御部１４と、無線制御部１５と、無線部１７と、アンテナ１６とを含む。
【００２５】
アンテナ１６は、無線部１７に接続される。この構成において、受信時には、アンテナ１６で１フレームおきに受信された信号が無線部１７に与えられる。無線部１７に与えられる受信信号は、そこで、増幅、周波数変換などの各種のアナログ信号処理が施され、Ａ／Ｄ変換されデジタル信号に変換される。
【００２６】
さらに、無線制御部１５では、中央制御部１４により制御されて、各ユーザの信号を分離抽出する。分離抽出された各ユーザの受信信号は、必要な復調処理および時分割処理が施され、元の信号に復元され、回線制御部１３に対して出力される。
【００２７】
なお、無線制御部１５の一部と、中央制御部１４とは、ＤＳＰ（ｄｉｇｉｔａｌ  ｓｉｇｎａｌ  ｐｒｏｃｅｓｓｏｒ）やＣＰＵ（ｃｅｎｔｒａｌ  ｐｒｏｃｅｓｓｉｎｇ  ｕｎｉｔ）などのようなコンピュータを用いて実現することができる。
【００２８】
一方、送信時には、Ｉ’回線（ＰＨＳ用ＩＳＤＮ回線）などの通信回線から与えられた送信信号は、回線制御部１３を経由して中央制御部１４に送られる。中央制御部１４では、必要な時分割処理および変調処理が施され、処理後の信号は無線制御部１５に与えられる。無線制御部１５においては、送信信号に対してＤ／Ａ変換を行ない、変換されたアナログ信号に対して、無線部１７で増幅、周波数変換など、無線送信に必要な各種のアナログ信号処理が施される。
【００２９】
送信時には、無線部１７からの信号がアンテナ１６に供給されて、アンテナ１６から所望のＰＳに対して送信される。
【００３０】
電源ユニット１１は、商用電源が供給される電源線Ｌ，Ｎに接続され内部電源電圧を発生し、回線制御部１３，中央制御部１４および無線制御部１５に供給する。保護回路１２は、商用電源が基地局装置１の外部から電源ユニット１１に供給される経路上に設けられ中央制御部１４の指示に従い通常使用時には電源線Ｌ，Ｎを経由して入力される雷サージを吸収し、試験モード時には内蔵する保護素子の診断テストを行なう。
【００３１】
中央制御部１４は、保護回路１２から内蔵する保護素子の異常を受取ると、回線制御部１３を経由して通信回線で接続されているセンター装置２に対して異常が発生したことを連絡する。
【００３２】
保護回路の試験を無人で実行し、通信回線を利用して通知するので、保護回路の点検結果を遠隔地にいる人間が知ることができ、異常が発生した場合には直ちに保護回路の修理に行くことができる。
【００３３】
図２は、図１における保護回路１２の構成を示したブロック図である。
図２を参照して、保護回路１２は、雷サージ保護回路２１と、スイッチ回路２２と、試験回路２３と、試験回路制御部２４とを含む。
【００３４】
スイッチ回路２２は、通常使用時には電源線Ｌを雷サージ保護回路２１の接続ノードＬＡに接続し、電源線Ｎを雷サージ保護回路２１の接続ノードＮＡに接続する。これにより通常使用時においては、商用電源が与えられる電源線Ｌ，Ｎを経由して雷サージが侵入した場合に、これを吸収したり大地ＦＧに逃がすことができる。これにより電源線Ｌ，Ｎに接続されている電源ユニット１１はサージから保護される。
【００３５】
試験時においては、スイッチ回路２２は、雷サージ保護回路２１を電源線Ｌ，Ｎから切り離す。そしてスイッチ回路２２は、雷サージ保護回路の接続ノードＬＡに試験回路２３の接続ノードＬＢを接続する。またスイッチ回路２２は雷サージ保護回路の接続ノードＮＡに試験回路２３の接続ノードＮＢを接続する。
【００３６】
雷サージ保護回路２１を商用電源ＡＣから切り離して試験をするため、商用電源の影響を受けずに試験回路２３による条件設定が可能である。これにより、雷サージ保護回路２１に対して正確な故障診断を行なうことができる。
【００３７】
試験回路制御部２４は、中央制御部１４から試験を行なう旨の指示を受けると、スイッチ回路２２の切換を行なって試験回路２３に対して雷サージ保護回路２１の線間試験および線−大地間試験を実行させその結果を中央制御部１４に連絡する。
【００３８】
図３は、図２における雷サージ保護回路２１の構成を示した回路図である。
図３を参照して、雷サージ保護回路２１は、接続ノードＬＡと接続ノードＮＡとの間に接続されるバリスタ３２と、接続ノードＬＡとノードＮ１との間に接続されるバリスタ３１と、接続ノードＮＡとノードＮ２との間に接続されるバリスタ３３と、ノードＮ１とノードＮ２および大地ＦＧに接続されるアレスタ３４とを含む。
【００３９】
このような雷サージ保護回路２１によって、電源線Ｌと電源線Ｎの間に加えられる異常電圧や電源線−大地ＦＧ間に加えられる異常電圧から電源ユニットを保護することができる。より具体的には、電源線Ｌ，Ｎ間の保護はバリスタ３２で行なう。電源線Ｌ−大地ＦＧ間、電源線Ｎ−大地ＦＧ間の保護は、バリスタ３１，３３とアレスタ３４の直列回路で行なう。アレスタ３４は、定格電圧時の漏れ電流を遮断するために使用される。
【００４０】
図４は、図２における試験回路２３の構成を示した回路図である。
図４を参照して、試験回路２３は、接続ノードＬＢとノードＮ３との間に接続される電流検出器４１と、ノードＮ３とノードＮ４との間に接続される電流制限素子４３と、ノードＮ３と大地ＦＧとの間に接続される電圧検出器４２と、大地ＦＧとノードＮ５との間に接続される電源Ｅ１と、大地ＦＧとノードＮ６との間に接続される電源Ｅ２と、ノードＮ４をノードＮ５，Ｎ６のいずれかに切換えて接続するスイッチＳＷ１と、ノードＮＢをノードＮＢと大地ＦＧのいずれか一方に接続するスイッチＳＷ２と含む。
【００４１】
電源Ｅ１は、雷サージ保護回路２１の保護電圧以下の電圧を出力する。また電源Ｅ２は、雷サージ保護回路２１の保護電圧以上の電圧を出力する。スイッチＳＷ１を切換えることにより雷サージ保護回路２１に加える電圧を切換えることができる。保護電圧以下を加える場合には漏れ電流とショートを検出することができる。また保護電圧以上を加える場合には、保護素子のオーブンを検出することができる。２種類の試験電圧を加えることにより、サージ保護回路の漏れ電流と保護電圧とが確認でき、短絡故障以外にもオープン故障も検出することができ、精度の高い故障検出が可能である。
【００４２】
スイッチＳＷ２を切換えることにより雷サージ保護回路２１の接続ノードＬＡと接続ノードＮＡとの間に電圧を加えるか、それとも接続ノードＬＡ，ＮＡと大地ＦＧとの間に電圧を加えるかを切換えることができる。これにより、サージ保護回路の２つの電源線に接続される端子の間の漏れ電流と電源線に接続される端子と接地ノードとの間の漏れ電流を検出することができる。
【００４３】
スイッチＳＷ１およびスイッチＳＷ２の切換は、試験回路制御部２４によって行なわれる。
【００４４】
そして、電圧検出器４２および電流検出器４１で電圧値ＶＤＥＴおよび電流値ＩＤＥＴがそれぞれ測定され、測定結果は試験回路制御部２４に読込まれる。
【００４５】
図５は、試験回路制御部２４の動作を説明するためのフローチャートである。図２、図５を参照して、ステップＳ１において保護回路試験が開始される。そしてステップＳ２において試験回路制御部２４は、雷サージ保護回路２１を商用電源ＡＣから切り離して試験回路２３に接続するように、スイッチ回路２２に対して制御を行なう。そしてステップＳ３において線間試験を実行させる。なお線間試験とは、電源線Ｌ，Ｎ間に接続された図３のバリスタ３２の漏れ電流やオープンを検知するための試験である。
【００４６】
続いてステップＳ４に進み、試験回路制御部２４は、試験回路２３に対して線−大地間の試験を実行させる。なお線−大地間の試験とは、電源線Ｌ，Ｎと大地ＦＧとの間で漏れ電流が増加していたり保護素子が焼損して開放状態になっていないかを確認する試験である。線−大地間の試験により、図３のバリスタ３１，３３およびアレスタ３４の異常を検出することができる。
【００４７】
続いて、ステップＳ５において試験結果の判定がなされ試験結果が不良である場合にはステップＳ６に進む。ステップＳ６では、雷サージ保護回路２１に異常が発生しているので、雷サージ保護回路２１を商用電源ＡＣから切り離した状態を維持し、そしてステップＳ７に進み通信回線を通じて異常をセンターに通知する。この通知により、故障が発生すると雷サージ保護回路２１を速やかに交換することができる。
【００４８】
一方、ステップＳ５において、試験結果が良好である場合には、ステップＳ８に進む。ステップＳ８では、試験回路制御部２４は、スイッチ回路２２を切換えて再び雷サージ保護回路２１を商用電源ＡＣに接続する。
【００４９】
ステップＳ７，Ｓ８のいずれかが終了すると、ステップＳ９において保護回路試験が終了する。
【００５０】
図６は、図５のステップＳ３における線間試験の動作を説明するためのフローチャートである。
【００５１】
図４、図６を参照して、まずステップＳ３１において線間試験が開始される。続いて、ステップＳ３２においてスイッチＳＷ２が線間測定の設定に切換えられる。このとき接続ノードＮＢは電源Ｅ１，Ｅ２の共通端子（ノードＮ７）に接続される。
【００５２】
次に、ステップＳ３３において、スイッチＳＷ１を切換えてノードＮ４をノードＮ５に接続する。これにより保護電圧以下の電源Ｅ１の電源電圧が線間に印加される。そしてステップＳ３４において電流検出器４１の値を電流値として読取り保護素子の漏れ電流を測定する。
【００５３】
続いてステップＳ３５に進みスイッチＳＷ１を再び切換えてノードＮ４をノードＮ６に接続する。これにより保護電圧以上の電源Ｅ２の電源電圧が雷サージ保護回路２１に印加される。続いてステップＳ３６に進み電流検出器４１の値を電流値として読取る。このとき、雷サージ保護回路２１中の保護素子が正常であれば、電流制限素子４３で決まる所定の電流が検出される。続いてステップＳ３７に進み、電圧検出器４２の値を電圧値として読取る。このとき、雷サージ保護回路２１が正常であれば、図３のバリスタ３２の保護電圧が検出できる。
【００５４】
そしてステップＳ３８に進み線間試験が終了する。
図７は、図５における線−大地間試験の動作を説明するためのフローチャートである。
【００５５】
図４、図７を参照して、まずステップＳ４１において線−大地間試験が開始される。続いてステップＳ４２に進みスイッチＳＷ２を切換えて線−大地間の測定を行なうことができる接続とする。このとき、接続ノードＮＢは接続ノードＬＢに接続される。
【００５６】
続いてステップＳ４３に進みスイッチＳＷ１を切換えてノードＮ４をノードＮ５に接続する。これにより保護電圧以下の電源Ｅ１の電源電圧が印加される。
【００５７】
続いてステップＳ４４に進み電流検出器４１の間を電流値として読取る。このとき雷サージ保護回路２１が正常であれば、図３のアレスタ３４の作用により漏れ電流は０となる。
【００５８】
続いてステップＳ４５においてスイッチＳＷ１を切換えてノードＮ４をノードＮ６に接続する。これにより、保護電圧以上の電源Ｅ２の電源電圧が雷サージ保護回路２１に印加される。続いてステップＳ４６において電流検出器４１の値を電流値として読取る。このとき雷サージ保護回路２１が正常であれば、電流制限素子４３で決まる所定の電流が検出される。
【００５９】
続いてステップＳ４７に進み電圧検出器４２の値を電圧値として読取る。このとき雷サージ保護回路２１が正常であれば、図３のバリスタ３１，３３の保護電圧が検出される。
【００６０】
そしてステップＳ４８に進み線−大地間試験を終了する。
以上説明したように、本発明の実施の形態によれば、保護回路の試験を試験モードに切換えることによって行なうことができる。この切換は、中央制御部１４によって定期的に行なわれてもよいし、またセンター装置２から必要に応じて試験モードの切換指示を通信回線を経由して行なってもよい。これにより人間が巡回して漏れ電流を測定し異常の点検を行なう必要がなくなる。異常が発生したときに初めて人間は基地局装置に赴き雷サージ保護回路の交換を行なえばよい。
【００６１】
特に、基地局装置は、無線端末をＩＳＤＮ回線に接続するための装置であるので、雷サージ保護回路の異常の発生を連絡するためにわざわざ通信回線を新たに設ける必要はない。従来から接続されている通信回線を利用することにより、雷サージ保護回路の点検結果を遠隔地にいる人間が知ることができ、異常が発生した場合には直ちに雷サージ保護回路の交換に行くことができる。
【００６２】
また、サージ保護回路を商用電源から切り離して試験をするため、短絡故障以外にもオープン故障も検出することができ、精度の高い故障検出が可能である。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６４】
【発明の効果】
本発明によれば、サージ保護回路を商用電源から切り離して試験をするため、商用電源の影響を受けずに試験回路による条件設定が可能であり、サージ保護回路に対して正確な故障診断を行なうことができる。
【００６５】
また、保護回路の試験を無人で実行し、通信回線を利用して通知するので、雷サージ保護回路の点検結果を遠隔地にいる人間が知ることができ、異常が発生した場合には直ちに雷サージ保護回路の交換に行くことができる。
【００６６】
また、２種類の試験電圧を加えることにより、サージ保護回路の漏れ電流と保護電圧とが確認でき、短絡故障以外にもオープン故障も検出することができ、精度の高い故障検出が可能である。
【００６７】
また、サージ保護回路の２つの電源線に接続される端子の間の漏れ電流と電源線に接続される端子と接地ノードとの間の漏れ電流を検出することができる。
【図面の簡単な説明】
【図１】本発明の基地局装置の構成を説明するためのブロック図である。
【図２】図１における保護回路１２の構成を示したブロック図である。
【図３】図２における雷サージ保護回路２１の構成を示した回路図である。
【図４】図２における試験回路２３の構成を示した回路図である。
【図５】試験回路制御部２４の動作を説明するためのフローチャートである。
【図６】図５のステップＳ３における線間試験の動作を説明するためのフローチャートである。
【図７】図５における線−大地間試験の動作を説明するためのフローチャートである。
【符号の説明】
１  基地局装置、２  センター装置、１１  電源ユニット、１２  保護回路、１３  回線制御部、１４  中央制御部、１５  無線制御部、１６  アンテナ、２１  雷サージ保護回路、２２  スイッチ回路、２３  試験回路、２４  試験回路制御部、３１，３２，３３  バリスタ、３４  アレスタ、４１  電流検出器、４２  電圧検出器、４３  電流制限素子、Ｅ１，Ｅ２  電源、ＦＧ  大地、Ｌ，Ｎ電源線、ＬＡ，ＮＡ，ＬＢ，ＮＡ，ＮＢ  接続ノード、ＳＷ１，ＳＷ２  スイッチ。
【図１】
2004297849.tif 000003
【図２】
2004297849.tif 000004
【図３】
2004297849.tif 000005
【図４】
2004297849.tif 000006
【図５】
2004297849.tif 000007
【図６】
2004297849.tif 000008
【図７】
2004297849.tif 000009